(57)【要約】  【課題】  発信側電話機からの特殊指示がなければＩＰ回線及びＰＳＴＮ回線相互間の電話着信を転送することができない。  【解決手段】  ＰＳＴＮ回線３及びＩＰ回線２に接続すると共に、ＰＳＴＮ回線又はＩＰ回線の発信側電話機からの電話着信を検出すると、同電話着信をＩＰ回線若しくはＰＳＴＮ回線に転送する制御部２３を備えた電話装置１であって、ＩＰ回線側の転送先電話番号毎に転送元電話番号を予め記憶したＲＡＭ１７を有し、制御部は、例えばＰＳＴＮ回線の発信側電話機からの電話着信を検出すると、電話着信の発信者番号の転送元電話番号に対応したＩＰ回線の転送先電話番号をＲＡＭから読み出し、ＰＳＴＮ回線の発信側電話機からの電話着信を転送先電話番号のＩＰ回線の転送先電話機に着信転送するものである。【選択図】  図１
2006041934.tif 000002
【特許請求の範囲】
【請求項１】
ＰＳＴＮ回線及びＩＰ回線に接続すると共に、前記ＰＳＴＮ回線又は前記ＩＰ回線からの電話着信を検出すると、同電話着信を前記ＩＰ回線若しくは前記ＰＳＴＮ回線に転送する電話着信転送手段を備えた電話装置であって、
前記ＩＰ回線側の転送先電話番号を予め記憶した転送先番号記憶手段と、
前記ＰＳＴＮ回線からの電話着信を検出すると、前記転送先番号記憶手段に記憶中の前記ＩＰ回線側の転送先電話番号を読み出し、この読み出したＩＰ回線側の転送先電話番号に前記電話着信を転送させるべく、前記電話着信転送手段を制御する制御手段とを有することを特徴とする電話装置。
【請求項２】
ＰＳＴＮ回線及びＩＰ回線に接続すると共に、前記ＰＳＴＮ回線又は前記ＩＰ回線からの電話着信を検出すると、同電話着信を前記ＩＰ回線若しくは前記ＰＳＴＮ回線に転送する電話着信転送手段を備えた電話装置であって、
前記ＰＳＴＮ回線側の転送先電話番号を予め記憶した転送先番号記憶手段と、
前記ＩＰ回線からの電話着信を検出すると、前記転送先番号記憶手段に記憶中の前記ＰＳＴＮ回線側の転送先電話番号を読み出し、この読み出したＰＳＴＮ回線側の転送先電話番号に前記電話着信を転送させるべく、前記電話着信転送手段を制御する制御手段とを有することを特徴とする電話装置。
【請求項３】
ＰＳＴＮ回線及びＩＰ回線に接続すると共に、前記ＰＳＴＮ回線又は前記ＩＰ回線からの電話着信を検出すると、同電話着信を前記ＩＰ回線若しくは前記ＰＳＴＮ回線に転送する電話着信転送手段を備えた電話装置であって、
前記ＩＰ回線側の転送先電話番号及び前記ＰＳＴＮ回線側の転送先電話番号を予め記憶した転送先番号記憶手段と、
前記ＰＳＴＮ回線からの電話着信を検出すると、前記転送先番号記憶手段に記憶中の前記ＩＰ回線側の転送先電話番号を読み出し、この読み出したＩＰ回線側の転送先電話番号に前記電話着信を転送させるべく、前記電話着信転送手段を制御すると共に、
前記ＩＰ回線からの電話着信を検出すると、前記転送先番号記憶手段に記憶中の前記ＰＳＴＮ回線側の転送先電話番号を読み出し、この読み出したＰＳＴＮ回線側の転送先電話番号に前記電話着信を転送させるべく、前記電話着信転送手段を制御する制御手段とを有することを特徴とする電話装置。
【請求項４】
転送モードを設定する転送モード設定手段を有し、
前記制御手段は、
前記転送モード設定中に前記電話着信を検出すると、前記転送先番号記憶手段に記憶中の転送先電話番号に前記電話着信を転送させるべく、前記電話着信転送手段を制御することを特徴とする請求項１，２又は３記載の電話装置。
【請求項５】
前記電話着信に関わる発信者番号を検出する発信者番号検出手段を有し、
前記転送先番号記憶手段は、
前記転送先電話番号毎に転送元電話番号を予め記憶管理し、
前記制御手段は、
前記発信者番号検出手段にて前記電話着信に関わる発信者番号を検出すると、この発信者番号と同一の転送元電話番号に対応した転送先電話番号を前記転送先番号記憶手段から読み出し、この読み出した転送先電話番号に前記電話着信を転送させるべく、前記電話着信転送手段を制御することを特徴とする請求項１、２、３又は４記載の電話装置。
【請求項６】
前記電話着信に関わる発信者番号を検出する発信者番号検出手段を有し、
前記転送先番号記憶手段は、
転送元電話番号毎に転送先電話番号を予め記憶管理し、
前記制御手段は、
前記発信者番号検出手段にて前記電話着信に関わる発信者番号を検出すると、この発信者番号と同一の転送元電話番号に対応する転送先電話番号を前記転送先番号記憶手段から読み出し、この読み出した転送先電話番号に前記電話着信を転送させるべく、前記電話着信転送手段を制御することを特徴とする請求項１，２，３又は４記載の電話装置。
【請求項７】
前記電話着信を検出すると、この電話着信に応答する電話着信応答手段と、
前記応答中の電話着信を保留する電話着信保留手段と、
前記転送先電話番号を指定する電話番号指定手段とを有し、
前記制御手段は、
前記電話着信応答手段にて前記電話着信の応答中に、前記電話番号指定手段にて前記転送先電話番号を指定すると、前記電話着信保留手段にて前記応答中の電話着信を保留した後、この指定した転送先電話番号に前記電話着信を転送させるべく、前記電話着信転送手段を制御することを特徴とする請求項１，２，３，４，５又は６記載の電話装置。
【請求項８】
前記電話着信を検出すると、この電話着信に応答する電話着信応答手段と、
前記応答中の電話着信を保留する電話着信保留手段と、
前記電話着信転送手段の電話着信転送起動を指示する転送起動指示手段とを有し、
前記制御手段は、
前記電話着信応答手段にて前記電話着信の応答中に、前記転送起動指示手段による前記転送起動を検出すると、前記電話着信保留手段にて前記応答中の電話着信を保留した後、前記転送先番号記憶手段に記憶中の転送先電話番号に前記電話着信を転送させるべく、前記電話着信転送手段を制御することを特徴とする請求項１，２，３，４，５又は６記載の電話装置。
【発明の詳細な説明】
【技術分野】
【０００１】
本発明は、ＰＳＴＮ回線及びＩＰ回線に接続すると共に、これらＰＳＴＮ回線及びＩＰ回線間相互に電話着信を転送する電話着信転送手段を備えた電話装置に関する。
【背景技術】
【０００２】
従来、このような電話装置としては、ＰＳＴＮ回線及びＩＰ回線を接続すると共に、前記ＰＳＴＮ回線又はＩＰ回線からの電話着信を検出すると、同電話着信を前記ＩＰ回線若しくは前記ＰＳＴＮ回線に転送する電話着信転送手段を備えたものが知られている（例えば特許文献１参照）。
【０００３】
特許文献１の電話装置は、ＰＳＴＮ回線及びＩＰ回線を接続すると共に、電話機を収容接続する統合制御装置であって、統合制御装置は、例えばＰＳＴＮ回線に収容接続する相手側電話機からの電話着信を検出すると、例えばＩＰ回線の他の電話機に電話着信を転送するというものである。
【０００４】
尚、相手側電話機から統合制御装置への電話着信呼には電話着信の転送を指示する転送モードが含まれているため、統合制御装置では、相手側電話機からの電話着信を検出すると、同電話着信呼に転送モードが含まれているか否かを判定し、転送モードが含まれていると判定されると、相手側電話機からの電話着信を他の電話機に転送するものである。
【０００５】
このように特許文献１によれば、ＰＳＴＮ回線又はＩＰ回線からの電話着信を検出したとしても、同電話着信をＩＰ回線若しくはＰＳＴＮ回線相互に転送することができる。
【特許文献１】特開２００３−３２４５２２号公報(図１及び要約書参照)
【発明の開示】
【発明が解決しようとする課題】
【０００６】
しかしながら、上記特許文献１によれば、ＰＳＴＮ回線又はＩＰ回線に収容接続する相手側電話機から転送モードを含む電話着信を検出すると、統合制御装置側でＩＰ回線若しくはＰＳＴＮ回線に電話着信を転送する、すなわち、相手側電話機側ユーザの指示でＩＰ回線若しくはＰＳＴＮ回線相互間の電話着信を転送させるようにしたが、相手側電話機ユーザの転送指示がなければ、ＩＰ回線若しくはＰＳＴＮ回線相互間に電話着信を転送することができない。また、ＩＰ回線及びＰＳＴＮ回線相互間の電話着信転送は、電話機自体ではなく、統合制御装置で行うため、統合制御装置のような別装置が必要となる。
【０００７】
本発明は上記点に鑑みてなされたものであり、その目的とするところは、相手側電話機ユーザの転送指示もなく、しかも電話着信転送用の別装置を設けなくても、ＰＳＴＮ回線及びＩＰ回線相互間の電話着信転送を実現することができる電話装置を提供することにある。
【課題を解決するための手段】
【０００８】
上記目的を達成するために本発明の電話装置は、ＰＳＴＮ回線及びＩＰ回線に接続すると共に、ＰＳＴＮ回線又はＩＰ回線からの電話着信を検出すると、同電話着信をＩＰ回線若しくはＰＳＴＮ回線に転送する電話着信転送手段を備えた電話装置であって、ＩＰ回線側の転送先電話番号を予め記憶した転送先番号記憶手段と、ＰＳＴＮ回線からの電話着信を検出すると、転送先番号記憶手段に記憶中のＩＰ回線側の転送先電話番号を読み出し、この読み出したＩＰ回線側の転送先電話番号に電話着信を転送させるべく、電話着信転送手段を制御する制御手段とを有するようにした。
【０００９】
また、本発明の電話装置は、ＰＳＴＮ回線及びＩＰ回線に接続すると共に、ＰＳＴＮ回線又はＩＰ回線からの電話着信を検出すると、同電話着信をＩＰ回線若しくはＰＳＴＮ回線に転送する電話着信転送手段を備えた電話装置であって、ＰＳＴＮ回線側の転送先電話番号を予め記憶した転送先番号記憶手段と、ＩＰ回線からの電話着信を検出すると、転送先番号記憶手段に記憶中のＰＳＴＮ回線側の転送先電話番号を読み出し、この読み出したＰＳＴＮ回線側の転送先電話番号に電話着信を転送させるべく、電話着信転送手段を制御する制御手段とを有するようにした。
【００１０】
本発明の電話装置は、ＰＳＴＮ回線及びＩＰ回線に接続すると共に、ＰＳＴＮ回線又はＩＰ回線からの電話着信を検出すると、同電話着信をＩＰ回線若しくはＰＳＴＮ回線に転送する電話着信転送手段を備えた電話装置であって、ＩＰ回線側の転送先電話番号及びＰＳＴＮ回線側の転送先電話番号を予め記憶した転送先番号記憶手段と、ＰＳＴＮ回線からの電話着信を検出すると、転送先番号記憶手段に記憶中のＩＰ回線側の転送先電話番号を読み出し、この読み出したＩＰ回線側の転送先電話番号に電話着信を転送させるべく、電話着信転送手段を制御すると共に、ＩＰ回線からの電話着信を検出すると、転送先番号記憶手段に記憶中のＰＳＴＮ回線側の転送先電話番号を読み出し、この読み出したＰＳＴＮ回線側の転送先電話番号に電話着信を転送させるべく、電話着信転送手段を制御する制御手段とを有するようにした。
【発明の効果】
【００１１】
上記のように構成された本発明の電話装置によれば、例えば携帯電話機等のＰＳＴＮ回線に収容接続された相手側電話装置ユーザからの転送指示もなく、しかも、電話着信転送用の別装置を設けなくても、ＰＳＴＮ回線からの電話着信をＩＰ回線側の転送先電話番号に転送することができる。
【発明を実施するための最良の形態】
【００１２】
本願請求項１記載の電話装置は、ＰＳＴＮ回線及びＩＰ回線に接続すると共に、前記ＰＳＴＮ回線又は前記ＩＰ回線からの電話着信を検出すると、同電話着信を前記ＩＰ回線若しくは前記ＰＳＴＮ回線に転送する電話着信転送手段を備えた電話装置であって、前記ＩＰ回線側の転送先電話番号を予め記憶した転送先番号記憶手段と、前記ＰＳＴＮ回線からの電話着信を検出すると、前記転送先番号記憶手段に記憶中の前記ＩＰ回線側の転送先電話番号を読み出し、この読み出したＩＰ回線側の転送先電話番号に前記電話着信を転送させるべく、前記電話着信転送手段を制御する制御手段とを有するようにした。
【００１３】
従って、本願請求項１記載の電話装置によれば、ＩＰ回線側の転送先電話番号を予め記憶しておき、例えば携帯電話機等のＰＳＴＮ回線からの電話着信を検出すると、記憶中のＩＰ回線側の転送先電話番号に同電話着信を転送するようにしたので、例えばＰＳＴＮ回線に収容接続される相手側電話装置の転送指示もなく、しかも、電話着信転送用の別装置を設けなくても、ＰＳＴＮ回線からの電話着信をＩＰ回線側の転送先電話番号に自動的に転送することができる。
【００１４】
本願請求項２記載の電話装置は、ＰＳＴＮ回線及びＩＰ回線に接続すると共に、前記ＰＳＴＮ回線又は前記ＩＰ回線からの電話着信を検出すると、同電話着信を前記ＩＰ回線若しくは前記ＰＳＴＮ回線に転送する電話着信転送手段を備えた電話装置であって、前記ＰＳＴＮ回線側の転送先電話番号を予め記憶した転送先番号記憶手段と、前記ＩＰ回線からの電話着信を検出すると、前記転送先番号記憶手段に記憶中の前記ＰＳＴＮ回線側の転送先電話番号を読み出し、この読み出したＰＳＴＮ回線側の転送先電話番号に前記電話着信を転送させるべく、前記電話着信転送手段を制御する制御手段とを有するようにした。
【００１５】
従って、本願請求項２記載の電話装置によれば、ＰＳＴＮ回線側の転送先電話番号を予め記憶しておき、ＩＰ回線からの電話着信を検出すると、記憶中のＰＳＴＮ回線側の転送先電話番号に同電話着信を転送するようにしたので、例えばＩＰ回線に収容接続される相手側電話装置の転送指示もなく、しかも、電話着信転送用の別装置を設けなくても、ＩＰ回線からの電話着信を例えば携帯電話機等のＰＳＴＮ回線側の転送先電話番号に自動的に転送することができる。
【００１６】
本願請求項３記載の電話装置は、ＰＳＴＮ回線及びＩＰ回線に接続すると共に、前記ＰＳＴＮ回線又は前記ＩＰ回線からの電話着信を検出すると、同電話着信を前記ＩＰ回線若しくは前記ＰＳＴＮ回線に転送する電話着信転送手段を備えた電話装置であって、前記ＩＰ回線側の転送先電話番号及び前記ＰＳＴＮ回線側の転送先電話番号を予め記憶した転送先番号記憶手段と、前記ＰＳＴＮ回線からの電話着信を検出すると、前記転送先番号記憶手段に記憶中の前記ＩＰ回線側の転送先電話番号を読み出し、この読み出したＩＰ回線側の転送先電話番号に前記電話着信を転送させるべく、前記電話着信転送手段を制御すると共に、前記ＩＰ回線からの電話着信を検出すると、前記転送先番号記憶手段に記憶中の前記ＰＳＴＮ回線側の転送先電話番号を読み出し、この読み出したＰＳＴＮ回線側の転送先電話番号に前記電話着信を転送させるべく、前記電話着信転送手段を制御する制御手段とを有するようにした。
【００１７】
従って、本願請求項３記載の電話装置によれば、ＩＰ回線側の転送先電話番号及びＰＳＴＮ回線側の転送先電話番号を予め記憶しておき、ＩＰ回線からの電話着信を検出すると、記憶中のＰＳＴＮ回線側の転送先電話番号を読み出し、この読み出したＰＳＴＮ回線側の転送先電話番号に同電話着信を転送すると共に、ＰＳＴＮ回線からの電話着信を検出すると、記憶中のＩＰ回線側の転送先電話番号を読み出し、この読み出したＩＰ回線側の転送先電話番号に同電話着信を転送するようにしたので、例えばＩＰ回線又はＰＳＴＮ回線に収容接続される相手側電話装置の転送指示もなく、しかも、電話着信転送用の別装置を設けなくても、ＩＰ回線及びＰＳＴＮ回線相互間の電話着信を自動転送することができる。
【００１８】
本願請求項４記載の電話装置は、本願請求項１乃至３の何れかに記載の構成において、転送モードを設定する転送モード設定手段を有し、前記制御手段は、前記転送モード設定中に前記電話着信を検出すると、前記転送先番号記憶手段に記憶中の転送先電話番号に前記電話着信を転送させるべく、前記電話着信転送手段を制御するようにした。
【００１９】
従って、本願請求項４記載の電話装置によれば、転送モード設定中に電話着信を検出すると、記憶中の転送先電話番号に電話着信を転送するようにしたので、電話装置のユーザは、転送モード設定手段にて転送モードを簡単に設定することができる。
【００２０】
本願請求項５記載の電話装置は、本願請求項１乃至４の何れかに記載の構成において、前記電話着信に関わる発信者番号を検出する発信者番号検出手段を有し、前記転送先番号記憶手段は、前記転送先電話番号毎に転送元電話番号を予め記憶管理し、前記制御手段は、前記発信者番号検出手段にて前記電話着信に関わる発信者番号を検出すると、この発信者番号と同一の転送元電話番号に対応した転送先電話番号を前記転送先番号記憶手段から読み出し、この読み出した転送先電話番号に前記電話着信を転送させるべく、前記電話着信転送手段を制御するようにした。
【００２１】
従って、本願請求項５記載の電話装置によれば、転送先電話番号毎に転送元電話番号を予め記憶管理しておき、電話着信に関わる発信者番号を検出すると、この発信者番号と同一の転送元電話番号に対応した転送先電話番号を読み出し、この転送先電話番号に前記電話着信を転送させるようにした、すなわち、転送元電話番号の特定ユーザに対してのみ特定の転送先電話番号に電話着信を自動転送するようにしたので、電話装置のユーザにとっては、特定ユーザ以外の無駄な電話着信転送を減らすことで、非常に使い勝手のよい電話着信自動転送サービスを提供することができる。
【００２２】
本願請求項６記載の電話装置は、本願請求項１乃至４の何れかに記載の構成において、前記電話着信に関わる発信者番号を検出する発信者番号検出手段を有し、前記転送先番号記憶手段は、転送元電話番号毎に転送先電話番号を予め記憶管理し、前記制御手段は、前記発信者番号検出手段にて前記電話着信に関わる発信者番号を検出すると、この発信者番号と同一の転送元電話番号に対応する転送先電話番号を前記転送先番号記憶手段から読み出し、この読み出した転送先電話番号に前記電話着信を転送させるべく、前記電話着信転送手段を制御するようにした。
【００２３】
従って、本願請求項６記載の電話装置によれば、転送元電話番号毎に転送先電話番号を予め記憶しておき、前記電話着信に関わる発信者番号を検出すると、この発信者番号と同一の転送元電話番号に対応する転送先電話番号を読み出し、この転送先電話番号に前記電話着信を転送させるようにした、すなわち、転送元電話番号の特定ユーザに対してのみ特定の転送先電話番号に電話着信を自動転送するようにしたので、電話装置のユーザにとっては、特定ユーザ以外の無駄な電話着信転送を減らすことで、非常に使い勝手のよい電話着信自動転送サービスを提供することができる。
【００２４】
本願請求項７記載の電話装置は、本願請求項１乃至６の何れかに記載の構成において、前記電話着信を検出すると、この電話着信に応答する電話着信応答手段と、前記応答中の電話着信を保留する電話着信保留手段と、前記転送先電話番号を指定する電話番号指定手段とを有し、前記制御手段は、前記電話着信応答手段にて前記電話着信の応答中に、前記電話番号指定手段にて前記転送先電話番号を指定すると、前記電話着信保留手段にて前記応答中の電話着信を保留した後、この指定した転送先電話番号に前記電話着信を転送させるべく、前記電話着信転送手段を制御するようにした。
【００２５】
従って、本願請求項７記載の電話装置によれば、電話着信の応答中に電話番号指定手段にて転送先電話番号を指定すると、電話応答中の電話着信を保留した後、この指定した転送先電話番号に電話着信を転送するようにしたので、電話装置のユーザは、電話着信に応答、すなわち相手先からの要件を受聴した後、最適な転送先に電話着信を転送することができる。
【００２６】
本願請求項８記載の電話装置は、本願請求項１乃至６の何れかに記載の構成において、前記電話着信を検出すると、この電話着信に応答する電話着信応答手段と、前記応答中の電話着信を保留する電話着信保留手段と、前記電話着信転送手段の電話着信転送起動を指示する転送起動指示手段とを有し、前記制御手段は、前記電話着信応答手段にて前記電話着信の応答中に、前記転送起動指示手段による前記転送起動を検出すると、前記電話着信保留手段にて前記応答中の電話着信を保留した後、前記転送先番号記憶手段に記憶中の転送先電話番号に前記電話着信を転送させるべく、前記電話着信転送手段を制御するようにした。
【００２７】
従って、本願請求項８記載の電話装置によれば、電話着信の応答中に転送起動指示手段による転送起動を検出すると、前記応答中の電話着信を保留した後、記憶中の転送先電話番号に電話着信を転送させるようにしたので、電話装置のユーザは、電話着信に応答、すなわち相手先からの要件を受聴した後、ワンタッチ操作で所定の転送先に電話着信を転送することができる。
【００２８】
以下、図面に基づいて本発明の実施の形態を示す電話装置について説明する。図１は本実施の形態を示す電話装置内部の概略構成を示すブロック図である。
【００２９】
図１に示す電話装置１は、ＩＰ回線２及びＰＳＴＮ回線３を接続すると共に、ＩＰ回線２又はＰＳＴＮ回線３に接続する電話機（発信側電話機：転送元電話機）からの電話着信を検出すると、ＰＳＴＮ回線３若しくはＩＰ回線２の転送先電話番号の電話機（転送先電話機）に電話着信を転送する機能を備えている。
【００３０】
電話装置１は、ＩＰ回線２との通信インタフェースを司るＩＰ回線インタフェース１１と、ＰＳＴＮ回線３との通信インタフェースを司るＰＳＴＮ回線インタフェース１２と、受話音声を音声出力するスピーカ１３と、送話音声を音声入力するマイク１４と、音声ガイダンスを出力する音源１５と、様々な制御プログラム等を記憶するＲＯＭ１６と、後述する転送先電話番号及び転送元電話番号を記憶管理するＲＡＭ１７と、操作用のコントロールパネル１８と、ＰＳＴＮ回線３及びＩＰ回線２相互間の通話路を形成すると共に、この電話装置１全体を制御するＣＰＵ１９と、ＰＳＴＮ回線インタフェース１２及びＣＰＵ１９間で信号変換処理を施すＡＦＥ（Ａｎａｌｏｇ  Ｆｒｏｎｔ  Ｅｎｄ）２０とを有している。
【００３１】
ＡＦＥ２０は、例えばＰＳＴＮ回線インタフェース１２及びＣＰＵ１９間の信号をアナログ信号又はデジタル信号に相互変換する機能や、スピーカ１３への音声信号をアナログ変換する機能や、マイク１２にて収音した音声信号をデジタル変換する機能等を有している。
【００３２】
ＣＰＵ１９は、ＰＳＴＮ回線インタフェース１２及びＩＰ回線インタフェース１１間の通話路を形成する通話路スイッチ２１と、ＩＰ回線インタフェース１１との間でデータを復号化又は符号化する符号・復号化部２２と、このＣＰＵ１９全体を制御する制御部２３とを有している。
【００３３】
制御部２３は、ＩＰ回線インタフェース１１及びＰＳＴＮ回線インタフェース１２を通じてＩＰ回線２及びＰＳＴＮ回線３の発信側電話機からの電話着信を監視すると共に、通話路スイッチ２１を通じて同電話着信を、ＩＰ回線２又はＰＳＴＮ回線３内の転送先電話番号の転送先電話機に転送するものである。
【００３４】
コントロールパネル１８は、転送モードを設定するための転送ボタン１８Ａと、ダイヤル番号を入力するためのダイヤル操作部１８Ｂと、様々な情報を表示するための表示部１８Ｃとを有している。
【００３５】
尚、転送モードには、個別の発信側電話機からの電話着信だけを着信転送する個別転送モードと、個別ではなく、全ての発信側電話機からの電話着信を着信転送する全転送モードとを有している。
【００３６】
制御部２３は、電話着信待ち受け中に、コントロールパネル１８上の転送ボタン１８Ａのボタン操作を検出すると、転送モードのデフォルト設定である全転送モードに設定すると共に、全転送モード中にダイヤル操作部１８Ｂの特番操作を検出すると、全転送モードから個別転送モードに切替設定するものである。
【００３７】
図２は本実施の形態に関わるＲＡＭ１７内部のテーブル内容を端的に示す説明図である。
【００３８】
ＲＡＭ１７には、図２に示すように、転送先電話番号１７Ａ毎に転送元電話番号１７Ｂを記憶管理し、ＩＰ回線２の転送先電話番号毎にＰＳＴＮ回線３の転送元電話番号を、ＰＳＴＮ回線３の転送先電話番号毎にＩＰ回線２の転送元電話番号を記憶管理している。例えば“＊８７８１２３…”のＩＰ回線２の転送先電話番号には、例えば“０３４５６…”等の４つのＰＳＴＮ回線３の転送元電話番号、例えば“０９０１２３４…”のＰＳＴＮ回線３の転送先電話番号には、例えば“＊８７８３…”のＩＰ回線２の転送元電話番号が記憶管理されている。また、ＲＡＭ１７には、全転送モード時に使用する転送先電話番号が記憶管理されているものとする。
【００３９】
尚、請求項記載の電話着信転送手段、制御手段、発信者番号検出手段、電話着信応答手段及び電話着信保留手段は制御部２３、転送先番号記憶手段はＲＡＭ１７、転送モード設定手段及び転送起動指示手段は転送ボタン１８Ａ、電話番号指定手段はダイヤル操作部１８Ｂに相当するものである。
【００４０】
次に本実施の形態を示す電話装置１の動作について説明する。図３は本実施の形態に関わるＰＳＴＮ電話着信自動転送処理に関わる電話装置１内部の制御部２３の処理動作を示すフロー図である。
【００４１】
図３に示すＰＳＴＮ電話着信自動転送処理とは、転送モード中にＰＳＴＮ回線３の発信側電話機からの電話着信を検出すると、同電話着信をＩＰ回線２の転送先電話番号の転送先電話機に自動転送する処理である。
【００４２】
図３において制御部２３は、ＩＰ回線インタフェース１１及びＰＳＴＮ回線インタフェース１２を通じてＰＳＴＮ回線３の発信側電話機からの電話着信を検出したか否かを判定する（ステップＳ１１）。
【００４３】
制御部２３は、ＰＳＴＮ回線３の発信側電話機からの電話着信を検出したのであれば、この電話着信の発信者番号を検出したか否かを判定する（ステップＳ１２）。尚、電話着信の発信者番号は、ＰＳＴＮ回線３を通じて発信者番号サービスの提供を受けるものとする。また、発信者番号が“非通知”の場合は、制御部２３では、電話着信の発信者番号を検出していないものと判断する。
【００４４】
制御部２３は、発信側電話機からの電話着信に対応する発信者番号を検出したのであれば、現在モードが転送モード中であるか否かを判定する（ステップＳ１３）。
【００４５】
制御部２３は、現在モードが転送モード中であると判定されると、この転送モードが個別転送モードであるか否かを判定する（ステップＳ１４）。制御部２３は、転送モードが個別転送モードであると判定されると、ステップＳ１２にて検出した電話着信の発信者番号に対応する転送元電話番号がＲＡＭ１７内にあるか否かを判定する（ステップＳ１５）。
【００４６】
制御部２３は、ＲＡＭ１７内に発信者番号に対応した転送元電話番号があると判定されると、この転送元電話番号に対応したＩＰ回線２の転送先電話番号をＲＡＭ１７から読み出し（ステップＳ１６）、この読み出したＩＰ回線２の転送先電話番号の回線状態が空き状態であるか否かを判定する（ステップＳ１７）。尚、制御部２３は、ＩＰ回線２の転送先電話番号の転送先電話機に対してＳＩＰコマンドで同転送先電話番号の回線状態を識別し、例えばＩＮＶＩＴＥ到来であれば発着衝突とみなし、回線状態は空き状態でない、すなわち使用中と判断するものである。
【００４７】
制御部２３は、ＩＰ回線２の転送先電話番号の回線状態が空き状態であると判定されると、このＩＰ回線２の転送先電話番号に基づき転送先電話機に発呼動作を実行し（ステップＳ１８）、この転送先電話番号のＩＰ回線２と電話着信のＰＳＴＮ回線３の発信側電話機との通話路を接続し（ステップＳ１９）、その結果、ＰＳＴＮ回線３の発信側電話機からの電話着信をＩＰ回線２の転送先電話番号の転送先電話機に着信転送したことになる。
【００４８】
制御部２３は、ＰＳＴＮ回線３の発信側電話機からＩＰ回線２の転送先電話機への電話着信の転送後、同電話着信に対してＩＰ回線２の転送先電話機が着信応答すると、ＰＳＴＮ回線３の発信側電話機及びＩＰ回線２の転送先電話機間の通話が確立したことになる。
【００４９】
制御部２３は、ＰＳＴＮ回線３の発信側電話機及びＩＰ回線２の転送先電話機間の電話着信転送に伴う通話が終話したか否かを判定する（ステップＳ２０）。
【００５０】
制御部２３は、ＰＳＴＮ回線３の発信側電話機及びＩＰ回線２の転送先電話機間の終話を検出すると、通話路スイッチ２１を通じてＰＳＴＮ回線３の発信側電話機及びＩＰ回線２の転送先電話機間の通話路接続を開放し（ステップＳ２１）、この処理動作を終了する。
【００５１】
制御部２３は、ステップＳ１１にてＰＳＴＮ回線３の発信側電話機からの電話着信でないと判定されると、この処理動作を終了する。
【００５２】
制御部２３は、ステップＳ１２にて電話着信の発信者番号を検出したのでなければ、現在の動作モードが転送モード中であるか否かを判定する（ステップＳ２２）。制御部２３は、転送モード中であると判定されると、個別転送モードであるか否かを判定する（ステップＳ２３）。
【００５３】
制御部２３は、個別転送モードでないと判定されると、全転送モードであると判断し、この全転送モードに対応したＩＰ回線２の転送先電話番号をＲＡＭ１７から読み出し（ステップＳ２４）、このＩＰ回線２の転送先電話番号の回線状態が空き状態であるか否かを監視すべく、ステップＳ１７に移行する。
【００５４】
制御部２３は、ステップＳ２２にて転送モード中でないと判定されると、又は、ステップＳ２３にて個別転送モードであると判定されると、ステップＳ１１にて検出したＰＳＴＮ回線３からの電話着信を本電話装置１に通常着信する通常ＰＳＴＮ着信処理を実行する（ステップＳ２５）。
【００５５】
また、制御部２３は、ステップＳ１３にて転送モード中でないと判定されると、ステップＳ１５にて発信者番号に対応する転送元電話番号がＲＡＭ１７内にないと判定されると、又はステップＳ１７にてＩＰ回線２の転送先電話番号の回線状態が空き状態でないと判定されると、ＰＳＴＮ回線３の発信側電話機からの電話着信を本電話装置１に通常着信すべく、図中のＭ１に移行する。
【００５６】
制御部２３は、ステップＳ１４にて個別転送モードでないと判定されると、全転送モードであると判断し、全転送モードに対応したＩＰ回線２の転送先電話番号をＲＡＭ１７から読み出すべく、ステップＳ２４に移行する。
【００５７】
図３に示すＰＳＴＮ電話着信自動転送処理によれば、全転送モード中にＰＳＴＮ回線３の発信側電話機からの電話着信を検出すると、全転送モードに対応したＩＰ回線２の転送先電話番号をＲＡＭ１７から読み出し、ＰＳＴＮ回線３の発信側電話機からの電話着信をＩＰ回線２の転送先電話番号の転送先電話機に自動転送するようにしたので、ＰＳＴＮ回線３の発信側電話機ユーザからの転送指示がなくても、ＰＳＴＮ回線３からの電話着信をＩＰ回線２の転送先電話番号の転送先電話機に着信転送することができる。
【００５８】
さらに、ＰＳＴＮ電話着信自動転送処理によれば、個別転送モード中にＰＳＴＮ回線３の発信側電話機からの電話着信を検出すると、同電話着信の発信者番号を検出し、この発信者番号に対応したＩＰ回線２の転送先電話番号をＲＡＭ１７から読み出し、ＰＳＴＮ回線３の発信側電話機からの電話着信をＩＰ回線２の転送先電話番号の転送先電話機に自動転送するようにしたので、ＰＳＴＮ回線３の発信側電話機ユーザからの転送指示がなくても、ＰＳＴＮ回線３からの電話着信をＩＰ回線２の転送先電話番号の転送先電話機に自動転送できることはもちろんのこと、特定ユーザ以外の電話着信については、転送先電話機への着信転送を禁止するため、非常に使い勝手が良い。
【００５９】
図４はＩＰ電話着信自動転送処理に関わる電話装置１内部の制御部２３の処理動作を示すフロー図である。
【００６０】
図４に示すＩＰ電話着信自動転送処理とは、転送モード中にＩＰ回線２の発信側電話機からの電話着信を検出すると、同電話着信をＰＳＴＮ回線３の転送先電話番号の転送先電話機に自動転送する処理である。
【００６１】
図４において制御部２３は、ＩＰ回線インタフェース１１及びＰＳＴＮ回線インタフェース１２を通じてＩＰ回線２の発信側電話機からの電話着信を検出したか否かを判定する（ステップＳ３１）。
【００６２】
制御部２３は、ＩＰ回線２の発信側電話機からの電話着信を検出したのであれば、この電話着信の発信者番号を検出したか否かを判定する（ステップＳ３２）。
【００６３】
制御部２３は、電話着信に対応する発信者番号を検出したのであれば、現在モードが転送モード中であるか否かを判定する（ステップＳ３３）。
【００６４】
制御部２３は、現在モードが転送モード中であると判定されると、この転送モードが個別転送モードであるか否かを判定する（ステップＳ３４）。制御部２３は、転送モードが個別転送モードであると判定されると、ステップＳ３２にて検出した電話着信の発信者番号に対応する転送元電話番号がＲＡＭ１７内にあるか否かを判定する（ステップＳ３５）。
【００６５】
制御部２３は、ＲＡＭ１７内に発信者番号に対応した転送元電話番号があると判定されると、この転送元電話番号に対応したＰＳＴＮ回線３の転送先電話番号をＲＡＭ１７から読み出し（ステップＳ３６）、この読み出したＰＳＴＮ回線３の転送先電話番号の回線状態が空き状態であるか否かを判定する（ステップＳ３７）。尚、制御部２３は、ＰＳＴＮ回線３の転送先電話番号の転送先電話機からの発信音の有無や、転送先電話機のＰＳＴＮ回線に対する極性反転に基づき、この転送先電話番号の回線状態を判断するものである。
【００６６】
制御部２３は、ＰＳＴＮ回線３の転送先電話番号の回線状態が空き状態であると判定されると、このＰＳＴＮ回線３の転送先電話番号に基づき、転送先電話機への発呼動作を実行し（ステップＳ３８）、このＰＳＴＮ回線３の転送先電話機とＩＰ回線２の発信側電話機とを通話路接続し（ステップＳ３９）、ＩＰ回線２の発信側電話機からの電話着信をＰＳＴＮ回線３の転送先電話番号の転送先電話機に転送したことになる。
【００６７】
制御部２３は、ＩＰ回線２の発信側電話機からＰＳＴＮ回線３の転送先電話機への電話着信の転送後、同電話着信に対してＰＳＴＮ回線３の転送先電話機が着信応答すると、ＩＰ回線２の発信側電話機及びＰＳＴＮ回線３の転送先電話機間の通話が確立したことになる。
【００６８】
制御部２３は、ＰＳＴＮ回線３の転送先電話機及びＩＰ回線２の発信側電話機間の通話の終話を検出したか否かを判定する（ステップＳ４０）。
【００６９】
制御部２３は、ＰＳＴＮ回線３の転送先電話機及びＩＰ回線２の発信側電話機間の終話を検出すると、通話路スイッチ２１を通じてＰＳＴＮ回線３の転送先電話機及びＩＰ回線２の発信側電話機間の電話着信転送に伴う通話路接続を開放し（ステップＳ４１）、この処理動作を終了する。
【００７０】
制御部２３は、ステップＳ３１にてＩＰ回線２の発信側電話機からの電話着信でないと判定されると、この処理動作を終了する。
【００７１】
制御部２３は、ステップＳ３２にて電話着信の発信者番号を検出したのでなければ、現在の動作モードが転送モード中であるか否かを判定する（ステップＳ４２）。制御部２３は、転送モード中であると判定されると、個別転送モードであるか否かを判定する（ステップＳ４３）。
【００７２】
制御部２３は、個別転送モードでないと判定されると、全転送モードであると判断し、この全転送モードに対応したＰＳＴＮ回線３の転送先電話番号をＲＡＭ１７から読み出し（ステップＳ４４）、このＰＳＴＮ回線３の転送先電話番号の回線状態が空き状態であるか否かを監視すべく、ステップＳ３７に移行する。
【００７３】
制御部２３は、ステップＳ４２にて転送モード中でないと判定されると、又は、ステップＳ４３にて個別転送モードであると判定されると、ステップＳ３１にて検出したＩＰ回線２の発信側電話機からの電話着信を本電話装置１に通常着信する通常ＩＰ着信処理を実行する（ステップＳ４５）。
【００７４】
また、制御部２３は、ステップＳ３３にて転送モード中でないと判定されると、ステップＳ３５にて発信者番号に対応する転送元電話番号がＲＡＭ１７内にないと判定されると、又はステップＳ３７にてＰＳＴＮ回線３の転送先電話番号の回線状態が空き状態でないと判定されると、発信側電話機からの電話着信を本電話装置１に通常着信すべく、図中のＭ２に移行する。
【００７５】
制御部２３は、ステップＳ３４にて個別転送モードでないと判定されると、全転送モードであると判断し、全転送モードに対応したＰＳＴＮ回線３の転送先電話番号を読み出すべく、ステップＳ４４に移行する。
【００７６】
図４に示すＩＰ電話着信自動転送処理によれば、全転送モード中にＩＰ回線２の発信側電話機からの電話着信を検出すると、全転送モードに対応したＰＳＴＮ回線３の転送先電話番号をＲＡＭ１７から読み出し、ＩＰ回線２の発信側電話機からの電話着信をＰＳＴＮ回線３の転送先電話番号の転送先電話機に自動転送するようにしたので、ＩＰ回線２の発信側電話機ユーザからの転送指示がなくても、ＩＰ回線２からの電話着信をＰＳＴＮ回線３の転送先電話番号の転送先電話機に転送することができる。
【００７７】
さらに、ＩＰ電話着信自動転送処理によれば、個別転送モード中にＩＰ回線２の発信側電話機からの電話着信を検出すると、同電話着信の発信者番号を検出し、この発信者番号に対応したＰＳＴＮ回線３の転送先電話番号をＲＡＭ１７から読み出し、ＩＰ回線２の発信側電話機からの電話着信をＰＳＴＮ回線３の転送先電話番号の転送先電話機に自動転送するようにしたので、ＩＰ回線２の発信側電話機ユーザからの転送指示がなくても、ＩＰ回線２からの電話着信をＰＳＴＮ回線３の転送先電話番号の転送先電話機に転送できることはもちろんのこと、特定ユーザ以外の電話着信に対する転送先電話機への転送を禁止するため、非常に使い勝手が良い。
【００７８】
尚、制御部２３では、常に電話着信を検出すると、ＰＳＴＮ回線３の発信側電話機からの電話着信であるか否かを判定する処理（図３のＰＳＴＮ電話着信自動転送処理のステップＳ１１）と、電話着信がＩＰ回線２の発信側電話機からの電話着信であるか否かを判定する処理（図４のＩＰ電話着信自動転送処理のステップＳ３１）を実行するものである。
【００７９】
図５は電話着信マニュアル転送処理に関わる制御部２３の処理動作を示すフロー図である。
【００８０】
図５に示す電話着信マニュアル転送処理は、例えばＰＳＴＮ回線３の発信側電話機からの電話着信に応答した後、転送先電話番号を指定操作することで、この転送先電話番号の転送先電話機に同電話着信を転送する処理である。
【００８１】
図５において制御部２３は、ＰＳＴＮ回線３の発信側電話機からの電話着信を検出したか否かを判定する（ステップＳ５１）。
【００８２】
制御部２３は、ＰＳＴＮ回線３の発信側電話機からの電話着信を検出したのであれば、この電話着信の応答操作を検出したか否かを判定する（ステップＳ５２）。
【００８３】
制御部２３は、ＰＳＴＮ回線３の発信側電話機からの電話着信の応答操作を検出したのであれば、ＰＳＴＮ回線３の発信側電話機と通話路接続することで発信側電話機との通話を確立し（ステップＳ５３）、コントロールパネル１８上の転送ボタン１８Ａのボタン操作を検出したか否かを判定する（ステップＳ５４）。
【００８４】
制御部２３は、転送ボタン１８Ａのボタン操作を検出したのであれば、通話中のＰＳＴＮ回線３の発信側電話機との回線を保留する（ステップＳ５５）。尚、保留中においては、発信側電話機と音源１５とを通話路接続することで保留中の音声ガイダンスを音声出力するものである。制御部２３は、同電話着信に対する転送先電話番号の指定操作を検出したか否かを判定する（ステップＳ５６）。尚、コントロールパネル１８上のダイヤル操作部１８Ｂを使用して、例えばＲＡＭ１７に記憶中の転送先電話番号を表示部１８Ｃの表示画面上での選択、若しくは転送先電話番号を指定入力するものである。
【００８５】
制御部２３は、転送先電話番号の指定操作を検出したのであれば、この転送先電話番号の転送先電話機への発呼動作を実行し（ステップＳ５７）、この発呼動作に対する転送先電話番号の転送先電話機の応答動作を検出したか否かを判定する（ステップＳ５８）。
【００８６】
制御部２３は、転送先電話機の応答動作を検出したのであれば、転送先電話機と本電話装置１とを通話路接続することで転送先電話機及び電話装置１間の通話を確立し（ステップＳ５９）、電話装置１の転送ボタン１８Ａのボタン操作を検出したか否かを判定する（ステップＳ６０）。
【００８７】
制御部２３は、転送ボタン１８Ａのボタン操作を検出したのであれば、転送先電話機と本電話装置１との通話路を開放し（ステップＳ６１）、ステップＳ５５にて保留中のＰＳＴＮ回線３の発信側電話機と転送先電話機とを通話路接続することで、ＰＳＴＮ回線３の発信側電話機からの電話着信を指定した転送先電話番号の転送先電話機に着信転送したことになる（ステップＳ６２）。
【００８８】
制御部２３は、ＰＳＴＮ回線３の発信側電話機から転送先電話番号の転送先電話機への電話着信の転送後、同電話着信に対して同転送先電話機が着信応答すると、ＰＳＴＮ回線３の発信側電話機及び転送先電話機間の通話が確立することになる。
【００８９】
制御部２３は、ＰＳＴＮ回線３の発信側電話機及び転送先電話番号の転送先電話機間の通話の終話を検出したか否かを判定する（ステップＳ６３）。
【００９０】
制御部２３は、ＰＳＴＮ回線３の発信側電話機及び転送先電話機間の終話を検出すると、通話路スイッチ２１を通じて発信側電話機及び転送先電話機間の電話着信転送に伴う通話路接続を開放し（ステップＳ６４）、この処理動作を終了する。
【００９１】
制御部２３は、ステップＳ５１にてＰＳＴＮ回線３の発信側電話機からの電話着信を検出したのでなければ、又はステップＳ５２にて電話着信の応答操作を検出したのでなければ、この処理動作を終了する。
【００９２】
制御部２３は、ステップＳ５４にて転送ボタン１８Ａのボタン操作を検出したのでなければ、ＰＳＴＮ回線３の発信側電話機との通話の終話を検出したか否かを判定する（ステップＳ６５）。
【００９３】
制御部２３は、ＰＳＴＮ回線３の発信側電話機との終話を検出したのであれば、ＰＳＴＮ回線３の発信側電話機との通話路を開放すべく、ステップＳ６４に移行する。制御部２３は、ステップＳ６５にてＰＳＴＮ回線３の発信側電話機との通話の終話を検出したのでなければ、転送ボタン１８Ａのボタン操作を検出した否かを監視すべく、ステップＳ５４に移行する。
【００９４】
図５に示す電話着信マニュアル転送処理によれば、ＰＳＴＮ回線３の発信側電話機からの電話着信の応答中に、転送先電話番号の指定操作をすると、ＰＳＴＮ回線３の発信側電話機からの電話着信を転送先電話番号の転送先電話機に転送するようにしたので、電話装置１のユーザは、電話着信に応答した後、すなわち相手先からの要件を受聴した後、ＰＳＴＮ回線３及びＩＰ回線２相互間で最適な転送先に電話着信を転送することができる。
【００９５】
尚、図５に示す電話着信マニュアル転送処理においては、ＰＳＴＮ回線３の発信側電話機からの電話着信に応答した電話装置１のユーザが転送先電話番号を指定すると、このＰＳＴＮ回線３からの電話着信を指定したＩＰ回線２の転送先電話番号の転送先電話機に転送するようにしたが、ＩＰ回線２の発信側電話機からの電話着信に応答したとしても、同様に電話装置１のユーザが指定したＰＳＴＮ回線３の転送先電話番号の転送先電話機にＩＰ回線２からの電話着信を転送することができることは言うまでもない。
【００９６】
本実施の形態によれば、転送先電話番号毎に転送元電話番号をＲＡＭ１７内に予め記憶しておき、例えばＩＰ回線２の発信側電話機からの電話着信を検出すると、この発信側電話機の発信者番号に相当する転送元電話番号に対応したＰＳＴＮ回線３の転送先電話番号を読み出し、この転送先電話番号に基づき、ＩＰ回線２の発信側電話機の電話着信をＰＳＴＮ回線３の転送先電話機に自動的に転送すると共に、ＰＳＴＮ回線３の発信側電話機からの電話着信を検出すると、この発信側電話機の発信者番号に相当する転送元電話番号に対応したＩＰ回線２の転送先電話番号を読み出し、この転送先電話番号に基づき、ＰＳＴＮ回線３の発信側電話機の電話着信をＩＰ回線３の転送先電話機に自動的に転送するようにしたので、発信側電話機の特殊な転送指示がなくても、ＩＰ回線２及びＰＳＴＮ回線３相互間の電話着信を自動的に転送することができる。
【００９７】
本発明の電話装置によれば、転送先電話番号毎に転送元電話番号を予め記憶管理しておき、電話着信に関わる発信者番号を検出すると、この発信者番号と同一の転送元電話番号に対応した転送先電話番号を読み出し、この転送先電話番号に前記電話着信を転送させるようにした、すなわち、転送元電話番号の特定ユーザに対してのみ特定の転送先電話番号に電話着信を自動転送するようにしたので、電話装置のユーザにとっては、非常に使い勝手のよい電話着信自動転送サービスを提供することができる。
【００９８】
本実施の形態によれば、電話着信の応答中に転送ボタン１８Ａのボタン操作を検出すると、同電話応答中の電話着信を保留し、同保留中に、ダイヤル操作部１８Ｂにて転送先電話番号の指定操作を検出すると、指定された転送先電話番号の転送先電話機に保留中の電話着信を転送するようにしたので、電話装置１のユーザは、電話着信に応答した後、すなわち相手先からの要件を受聴した後、ＰＳＴＮ回線３及びＩＰ回線２相互間で最適な転送先に電話着信を転送することができる。
【００９９】
尚、本実施の形態においては、図２に示すように転送先電話番号毎に転送元電話番号をＲＡＭ１７内に記憶管理し、発信側電話機の電話着信を検出すると、この発信側電話機の発信者番号（転送元電話番号）に対応した転送先電話番号を読み出すようにしたが、図６に示すように転送元電話番号毎に転送先電話番号を記憶管理しても良く、この場合、発信側電話機からの電話着信を検出すると、この発信側電話機の発信者番号（転送元電話番号）に対応した複数の転送先電話番号を読み出し、これら複数の転送先電話番号を本電話装置１の表示部１８Ｃに表示し、表示された転送先電話番号の中からユーザが転送先を選択し、この選択した転送先電話番号の転送先電話機へ同発信側電話機の電話着信を転送するようにしても良い。
【産業上の利用可能性】
【０１００】
本発明の電話装置は、ＩＰ回線又はＰＳＴＮ回線の発信側電話機からの電話着信を、発信側電話機からの特殊な指示もなく、しかも電話着信転送用の別装置を設けなくても、ＩＰ回線及びＰＳＴＮ回線相互間で着信転送を簡単に行うことができるようにしたので、例えば一般家庭用の電話装置に有用である。
【図面の簡単な説明】
【０１０１】
【図１】本発明の実施の形態を示す電話装置の概略構成を示すブロック図
【図２】本実施の形態を示す電話装置のＲＡＭ内部のテーブル内容を示す説明図
【図３】本実施の形態のＰＳＴＮ電話着信自動転送処理に関わる制御部の処理動作を示すフロー図
【図４】本実施の形態のＩＰ電話着信自動転送処理に関わる制御部の処理動作を示すフロー図
【図５】本実施の形態の電話着信マニュアル転送処理に関わる制御部の処理動作を示すフロー図
【図６】他の実施の形態を示す電話装置のＲＡＭ内部のテーブル内容を示す説明図
【符号の説明】
【０１０２】
１  電話装置
１７  ＲＡＭ（転送先番号記憶手段）
２３  制御部（電話着信転送手段、制御手段、発信者番号検出手段、電話着信応答手段及び電話着信保留手段）
１８Ａ  転送ボタン（転送モード設定手段及び転送起動指示手段）
１８Ｂ  ダイヤル操作部（電話番号指定手段）
【図１】
2006041934.tif 000003
【図２】
2006041934.tif 000004
【図３】
2006041934.tif 000005
【図４】
2006041934.tif 000006
【図５】
2006041934.tif 000007
【図６】
2006041934.tif 000008